(57)【特許請求の範囲】
【請求項１】
箱本体の前面開口を開閉する扉の側面にハンドルケース部を取り付け、該ハンドルケース部に、扉の側面に沿って起伏自在なハンドルと、ハンドルとリンクを介して連結されてハンドルの起伏操作により扉の側面に対して垂直方向の回動軸を中心として回動する鎖錠部とを取り付けるとともに、この鎖錠部が係止される係止部を箱本体の前面開口部の外側に設け、ハンドルの側面下方を把持して引き起こすことにより開錠されるものとしたことを特徴とする鎖錠用ハンドル装置。
【請求項２】
ハンドルケース部が扉の前面と側面に亘り取り付けた請求項１に記載の鎖錠用ハンドル。
【請求項３】
ハンドルと鎖錠部とをトグル機構を使用したクランプ式として鎖錠部であるフック部の側部を箱内部方向に延出させた請求項１又は２に記載の鎖錠用ハンドル装置。
【請求項４】
扉側部にハンドルケース部が嵌合する切欠部を設けた請求項１から３の何れかに記載の鎖錠用ハンドル装置。
【請求項５】
キーを扉前面に対して斜めに設けた請求項１から４の何れかに記載の鎖錠用ハンドル装置。
【発明の詳細な説明】
【０００１】
【発明の属する技術分野】
本発明は、電気機器収納箱の扉に取り付けられる鎖錠用ハンドル装置に関するものである。
【０００２】
【従来の技術】
従来、鎖錠用ハンドルは、扉の前面にハンドルケース部を埋め込んで、該ハンドルケース部に設けたハンドルを操作することにより箱本体の開口部の内側から鎖錠部を箱本体に設けた係止部に係合させるものであった。
【０００３】
【発明が解決しようとする課題】
ところが、この従来のものにあっては、鎖錠部が箱本体の開口部に位置するためその分箱本体や扉前面に電気機器を設置するためのスペースが狭くなるという問題がある。そこで、箱本体の開口部に鎖錠部が位置することのない鎖錠用ハンドル装置が待望されていた。
【０００４】
【課題を解決するための手段】
前記の待望に応えるためになされた本発明の鎖錠用ハンドル装置は、箱本体の前面開口を開閉する扉の側面にハンドルケース部を取り付け、該ハンドルケース部に、扉の側面に沿って起伏自在なハンドルと、ハンドルとリンクを介して連結されてハンドルの起伏操作により扉の側面に対して垂直方向の回動軸を中心として回動する鎖錠部とを取り付けるとともに、この鎖錠部が係止される係止部を箱本体の前面開口部の外側に設け、ハンドルの側面下方を把持して引き起こすことにより開錠されるものとしたことを特徴とするものを請求項１に係る発明とする。この請求項１の発明において、ハンドルケース部が扉の前面と側面に渡り取り付けたものを請求項２に係る発明とする。また、前記請求項１又は２の発明において、鎖錠用ハンドル装置をトグル機構を使用したクランプ式として鎖錠部であるフック部の側部を箱内部方向に延出させたものを請求項３に記載の発明とし、これらの発明において、扉側部にハンドルケース部が嵌合する切欠部を設けたものを請求項４に係る発明とし、これらの発明において、キーを扉前面に対して斜めに設けたものを請求項５に係る発明としたものである。
【０００５】
【発明の実施の形態】
次に、本発明の好ましい実施の形態を示す。１は前面開口１１に水切りである枠部１２を周設した箱本体であり、該箱本体１の枠部１２の外側には後記する鎖錠部３１が係止する係止部１３が設けられている。２は前記箱本体１の前面開口１１を開閉する扉であり、該扉２の側面にはハンドルケース部３が取り付けられている。なお、図示のものは扉２の側面と前面に亘って逆Ｌ型をしたハンドルケース部３としているが、逆Ｌ型とせず板状としたものを扉２の側面に取り付けてもよい。３１はハンドルケース部３に扉２の側面に沿って起伏自在としたハンドル３２の操作により回動して前記係止部１３に係脱する鎖錠部であり、該鎖錠部３１は図示の実施形態にあっては、回動軸を扉２の側面に対して垂直方向としている。また、ハンドル３１を引き起こして開錠されるものとしたものである。
【０００６】
すなわち、図示の実施形態にあっては鎖錠部３１の回動軸はハンドルケース部３に設けた横軸ピン３３からなるものとして扉２の側面に対して垂直方向としている。また、ハンドル３２と鎖錠部３１とは図１及び図４に示すようにトグル機構を使用したクランプ式としてハンドル３２をハンドルケース部３に第１ピン軸３ａをもって軸支するとともに、ハンドル３２の先端と前記鎖錠部３１であるフックの下端とをリンクプレート３４の両端で第２ピン軸３ｂと第３ピン軸３ｃにより軸支して、ハンドル伏倒時に鎖錠部３１側から箱本体１ががたつくなどして力が加わっても開錠することのないものである。
【０００７】
また、前記のようにトグル機構を使用したクランプ式とした場合には、鎖錠部３１であるフック部の側部３１ａを図２及び図５に示すように箱内部方向に延出させておけば、係止部１３との係合面積を大きくとることができより強固に鎖錠できるものである。また、図３及び図６に示すように扉２の側部にハンドルケース部３が嵌合する切欠部２１を設けておけば、ハンドルケース部３が扉２の側部からの突出量を少なくできる利点があり、また、鎖錠部３１が箱本体１の内側に位置することとなるので好ましいものである。なお、この場合にハンドルケース部３を逆Ｌ字型として扉２の側面と前面に亘って取り付けすれば切欠部２１の補強となるもので扉の強度を充分確保できるものである。４は悪戯等によりハンドル３２を引き起こして開錠されるのを防止するためのキーである。また、図示のようにハンドル３２をその側面部３２ａをハンドルケース部３の側面開口３５に臨むものとしておけばハンドル３２引き上げ時に側面下方を把持することにより容易に開錠作業ができるものである。
【０００８】
また、図７から図１０は他の実施形態のハンドルを説明するものである。前記実施形態と異なる部分を説明すると、ハンドル３２を引き起こして開錠されるのを防止するためのキー４をハンドル３２と一体に設けており、ハンドル装置の下半分がハンドル３２として動作するものである。さらに、このキー４は扉前面に対して斜めにハンドル３２に設けられている。そして、キー４に取り付けられてたベロ４１が扉２の係合孔２２に係合するものである。このように、斜めにキー４を設けることによって、ハンドル装置が扉２の側部から突出量を少なくすることができ、キー４を操作する際にもほぼ前面側から操作できるものである。
【０００９】
【００１０】
このように構成されたものは、前面開口２１に枠部１２を周設した箱本体１の該枠部１２の外側に受け金具よりなる係止部１３を設けたものであり、また、この箱本体１の前面開口１１を開閉する扉２の側面に設けたハンドル３２の鎖錠部３１の回動軸を扉２側面に対して垂直方向としたものであるから、前面開口２１が係止部１３及び鎖錠部３１により狭められることがないので、扉前面や箱本体に電気機器を収納するスペースが広くとることができ、その分電気機器収納箱を小型化できるものである。
【００１１】
また、枠部１２を水切りとしたものでは係止部１３を箱本体１の水切りである枠部１２の外側に設けるとともに、ハンドル３２を扉２の側面に設けたことにより、ハンドル３を介して浸入する雨水は扉２の裏面周縁に貼着したパッキン５と水切りである枠部１２により箱本体１内への浸入が阻止されるものである。また、パッキン５の外側の幅が狭くともパッキン５を切欠することなく取り付けできるものである。さらに、キー４を扉前面に対して斜めに設けたことにより、ハンドル装置が扉２の側部からの突出量が少なくなり、キー４を操作する際もほぼ前面側から操作できるものである。
【００１２】
【発明の効果】
以上に説明したように、本発明の鎖錠用ハンドル装置は、箱本体の前面開口を開閉する扉の側面にハンドルケース部を取り付け、該ハンドルケース部に、扉の側面に沿って起伏自在なハンドルと、ハンドルとリンクを介して連結されてハンドルの起伏操作により扉の側面に対して垂直方向の回動軸を中心として回動する鎖錠部とを取り付けるとともに、この鎖錠部が係止される係止部を箱本体の前面開口部の外側に設け、ハンドルの側面下方を把持して引き起こすことにより開錠される構造としたものであるから、箱本体の前面開口が係止部及び鎖錠部により狭められることがないので、電気機器を収納するスペースが広くとることができ、その分電気機器収納箱を小型化できるものである。よって、本発明は従来の鎖錠用ハンドル装置の問題点を解決したもので、業界にもたらす益大なものである。
【図面の簡単な説明】
【図１】本発明の実施形態を示す断面図である。
【図２】本発明の実施形態を示す一部切欠側面図である。
【図３】本発明の実施形態を示す斜視図である。
【図４】本発明の実施形態を態様を異にして示す断面図である。
【図５】本発明の実施形態を態様を異にして示す一部切欠側面図である。
【図６】本発明の実施形態を態様を異にして示す斜視図である。
【図７】本発明の他の実施形態を示す図であり、（Ａ）は正面図、（Ｂ）は背面図、（Ｃ）は平面図、（Ｄ）は側面図である。
【図８】本発明の他の実施形態を示す斜視図である。
【図９】本発明の他の実施形態をキーのベロを突出させた状態を示す図であり、（Ａ）は正面図、（Ｂ）は背面図、（Ｃ）は平面図、（Ｄ）は側面図である。
【図１０】本発明の他の実施形態のハンドルを引き上げた状態を示す斜視図である。
【符号の説明】
１ 箱本体
11 前面開口
12 枠部
13 係止部
２ 扉
21 切欠部
３ ハンドルケース部
31 鎖錠部
32 ハンドル
【図１】
0004360776.tif 000002
【図２】
0004360776.tif 000003
【図３】
0004360776.tif 000004
【図４】
0004360776.tif 000005
【図５】
0004360776.tif 000006
【図６】
0004360776.tif 000007
【図７】
0004360776.tif 000008
【図８】
0004360776.tif 000009
【図９】
0004360776.tif 000010
【図１０】
0004360776.tif 000011